(57)【要約】【課題】キャリブレーションによって画質が改善されていく過程を確認できるキャリブレーション装置を提供する。【解決手段】複数項目の画質調整を有する表示装置のキャリブレーション装置であって、前記複数項目の画質調整の処理でそれぞれ用いられる複数のパラメータの設定値を記憶する記憶手段と、前記表示装置に測色用画像を表示し該測色用画像の測色結果を用いていずれかのパラメータの値を求める処理、を複数回実行することにより、前記複数のパラメータの設定値を段階的に更新するキャリブレーションを実行するキャリブレーション手段と、キャリブレーションの効果を確認するための確認用画像を前記表示装置に表示する確認表示手段と、を有し、前記確認表示手段は、キャリブレーション途中の画質設定で、前記確認用画像の表示を行うことを特徴とするキャリブレーション装置とする。【選択図】図３
2015158636.tif 000002
【特許請求の範囲】
【請求項１】
複数項目の画質調整を有する表示装置のキャリブレーション装置であって、
前記複数項目の画質調整の処理でそれぞれ用いられる複数のパラメータの設定値を記憶する記憶手段と、
前記表示装置に測色用画像を表示し該測色用画像の測色結果を用いていずれかのパラメータの値を求める処理、を複数回実行することにより、前記複数のパラメータの設定値を段階的に更新するキャリブレーションを実行するキャリブレーション手段と、
キャリブレーションの効果を確認するための確認用画像を前記表示装置に表示する確認表示手段と、を有し、
前記確認表示手段は、キャリブレーション途中の画質設定で、前記確認用画像の表示を行う
ことを特徴とするキャリブレーション装置。
【請求項２】
前記確認表示手段は、キャリブレーション前の第１の画質設定、キャリブレーション途中の第２の画質設定、および、キャリブレーション後の第３の画質設定、の少なくとも三つの画質設定で、前記確認用画像の表示を行い、
前記第１の画質設定は、前記複数のパラメータのすべてがキャリブレーション前に前記記憶手段に設定されていた値と同じ設定であり、
前記第２の画質設定は、前記複数のパラメータのうちの一部がキャリブレーション前に前記記憶手段に設定されていた値と同じであり、かつ、残りのパラメータがキャリブレーションによって更新された設定であり、
前記第３の画質設定は、前記複数のパラメータのすべてがキャリブレーションによって更新された設定である、
請求項１に記載のキャリブレーション装置。
【請求項３】
前記表示装置は、前記測色用画像が表示される第１の表示領域と、前記第１の表示領域とは独立して画質調整が可能な第２の表示領域と、を有する
請求項２に記載のキャリブレーション装置。
【請求項４】
前記確認表示手段は、キャリブレーションの開始時に前記第１の画質設定で前記確認用画像を前記第２の表示領域に表示し、キャリブレーションの進行と同期して前記第２の表示領域の画質設定を前記第１の画質設定から、前記第２の画質設定、前記第３の画質設定へと順に変更する
請求項３に記載のキャリブレーション装置。
【請求項５】
キャリブレーションの進行と同期して前記確認用画像を表示する同期表示を行うか否かを選択可能であり、
前記同期表示が選択された場合には、前記確認表示手段が、キャリブレーションの開始時に前記第１の画質設定で前記確認用画像を前記第２の表示領域に表示し、キャリブレーションの進行と同期して前記第２の表示領域の画質設定を前記第１の画質設定から、前記第２の画質設定、前記第３の画質設定へと順に変更し、
前記同期表示が選択されなかった場合には、前記確認表示手段が、キャリブレーション終了後にキャリブレーションの効果を確認できるようにするため、前記第１、第２、および、第３の画質設定を前記記憶手段に記憶する
請求項３に記載のキャリブレーション装置。
【請求項６】
前記表示装置は、前記測色用画像が表示される第１の表示領域と、前記第１の表示領域とは独立して画質調整が可能な第２の表示領域と、を有し、
キャリブレーションを実行している間、前記第２の表示領域の画質設定がキャリブレー
ション前の画質設定のまま維持される
請求項１に記載のキャリブレーション装置。
【請求項７】
前記複数項目の画質調整は、前記表示装置のバックライトの輝度調整、色温度調整、色域調整、および、ガンマ値調整のうち少なくとも一つを含む
請求項１から６のいずれか１項に記載のキャリブレーション装置。
【請求項８】
複数項目の画質調整を有する表示装置のキャリブレーション方法であって、
前記複数項目の画質調整の処理でそれぞれ用いられる複数のパラメータの設定値を記憶する記憶装置が設けられており、
前記表示装置に測色用画像を表示し該測色用画像の測色結果を用いていずれかのパラメータの値を求める処理、を複数回実行することにより、前記複数のパラメータの設定値を段階的に更新するキャリブレーションを実行し、
キャリブレーションの効果を確認するための確認用画像を、キャリブレーション途中の画質設定で、前記表示装置に表示する、
ことを特徴とするキャリブレーション方法。
【請求項９】
キャリブレーション前の第１の画質設定、キャリブレーション途中の第２の画質設定、および、キャリブレーション後の第３の画質設定、の少なくとも三つの画質設定で、前記確認用画像の表示を行い、
前記第１の画質設定は、前記複数のパラメータのすべてがキャリブレーション前に前記記憶手段に設定されていた値と同じ設定であり、
前記第２の画質設定は、前記複数のパラメータのうちの一部がキャリブレーション前に前記記憶手段に設定されていた値と同じであり、かつ、残りのパラメータがキャリブレーションによって更新された設定であり、
前記第３の画質設定は、前記複数のパラメータのすべてがキャリブレーションによって更新された設定である、
請求項８に記載のキャリブレーション方法。
【請求項１０】
前記表示装置は、前記測色用画像が表示される第１の表示領域と、前記第１の表示領域とは独立して画質調整が可能な第２の表示領域と、を有する
請求項９に記載のキャリブレーション方法。
【請求項１１】
キャリブレーションの開始時に前記第１の画質設定で前記確認用画像を前記第２の表示領域に表示し、キャリブレーションの進行と同期して前記第２の表示領域の画質設定を前記第１の画質設定から、前記第２の画質設定、前記第３の画質設定へと順に変更する
請求項１０に記載のキャリブレーション方法。
【請求項１２】
キャリブレーションの進行と同期して前記確認用画像を表示する同期表示を行うか否かを選択可能であり、
前記同期表示が選択された場合には、キャリブレーションの開始時に前記第１の画質設定で前記確認用画像を前記第２の表示領域に表示し、キャリブレーションの進行と同期して前記第２の表示領域の画質設定を前記第１の画質設定から、前記第２の画質設定、前記第３の画質設定へと順に変更し、
前記同期表示が選択されなかった場合には、キャリブレーション終了後にキャリブレーションの効果を確認できるようにするため、前記第１、第２、および、第３の画質設定を前記記憶装置に、記憶する
請求項１０に記載のキャリブレーション方法。
【請求項１３】
前記表示装置は、前記測色用画像が表示される第１の表示領域と、前記第１の表示領域
とは独立して画質調整が可能な第２の表示領域と、を有し、
キャリブレーションを実行している間、前記第２の表示領域の画質設定がキャリブレーション前の画質設定のまま維持される
請求項８に記載のキャリブレーション方法。
【請求項１４】
前記複数項目の画質調整は、前記表示装置のバックライトの輝度調整、色温度調整、色域調整、および、ガンマ値調整のうち少なくとも一つを含む
請求項８から１３のいずれか１項に記載のキャリブレーション方法。
【発明の詳細な説明】
【技術分野】
【０００１】
本発明は、キャリブレーション装置、及び、キャリブレーション方法に関する。
【背景技術】
【０００２】
近年、モニタ、デジタルカメラ、プリンタなど、画像を扱うデバイス間において、色の調整を行い、出力される色の統一を図るためのカラーマネジメントの重要性が高まってきている。カラーマネジメントは、モニタやプリンタなどの各デバイスに依存しない色再現域を介して画像データのやり取りを行い、各デバイスの出力に関して正確な色再現を実現させている。特に静止画像の編集や印刷物の確認など、正確な色を扱う作業に使用するモニタから出力される色に関して、常に高い精度で安定して色を再現する必要がある。そのため、モニタの出力する色の再現性を一定に保つために定期的に行う校正処理（キャリブレーション）を精度よく行うことが、特にカラーマネジメントにおいて重要なポイントとなっている。
【０００３】
このようなキャリブレーションに関する従来技術として、特許文献１に記載される技術がある。特許文献１に記載される技術では、カラーデバイスをキャリブレーションする場合に、色再現精度および計算時間が異なる複数のキャリブレーション設定方式を格納し、格納されているキャリブレーション設定方式を選択、指示をする。さらに、特許文献１に記載される技術では、選択、指示されたキャリブレーション設定方式に基づいてキャリブレーション演算を実行する演算手段を備える。
【０００４】
また、モニタのキャリブレーションを行う際に、予め設定された測定対象となる領域に測定対象点を表示させる、または、任意に指定された測定対象となる領域に測定対象枠を表示させる技術がある。または、モニタのキャリブレーションを行う際に、モニタ全体を複数の部分領域に分割して表示した上で、測定対象となる領域に他の領域とは識別可能となるように測定対象点、測定対象枠等を表示させる技術がある。さらに、このような表示を行ったうえで、測定対象点（枠）に照準を合わせて輝度計を設置し測定された輝度データに基づいて、キャリブレーションを行う技術がある（例えば、特許文献２）。
【先行技術文献】
【特許文献】
【０００５】
【特許文献１】特開平０９−２２４１６１号公報
【特許文献２】特開２００３−２２７７７８号公報
【発明の概要】
【発明が解決しようとする課題】
【０００６】
上記の従来技術におけるキャリブレーションでは、ユーザーによる調整目標値の設定の後、パッチ表示、測色、補正演算、各種ＬＵＴ（Ｌｏｏｋ  Ｕｐ  Ｔａｂｌｅ）等の設定がキャリブレーションが完了するまで繰り返し行われる。
【０００７】
上記の従来技術では、キャリブレーション処理中にユーザーが見ることのできる画像は、基本的にパッチ表示、若しくは、特許文献２に開示されている輝度計設置位置の表示ガイド等である。
【０００８】
従来、ユーザーは、すべてのキャリブレーションが終了後、キャリブレーション前に作業していた画像若しくはリファレンスとしている画像を表示させ、キャリブレーション後のモニタ表示の確認を行うしかなかった。このため、ユーザーにとってキャリブレーショ
ンによる改善が分かりにくく、ユーザーはキャリブレーションに対する納得感を得られないことがあった。
【０００９】
通常、キャリブレーション前のモニタでは、キャリブレーション前の調整値（設定値）による画質調整処理がＯＮにされて、画像が表示されている。キャリブレーション処理を行うためには、キャリブレーション中に一時的にキャリブレーション前の調整値による画質調整処理をＯＦＦにする必要が発生する。もし、キャリブレーション中にリファレンス画像を表示させた状態にしておくと、一度、画質調整処理をＯＦＦにした調整されていないリファレンス画像がユーザーに見えることになる。さらに、キャリブレーション後、画質調整処理がＯＮにされ、キャリブレーション後の設定値によって調整されたリファレンス画像がユーザーに見えることになる。したがって、ユーザーは、画質調整処理をＯＦＦにした調整されていないリファレンス画像を見た後に、キャリブレーション後の設定値によって調整されたリファレンス画像を見ることになる。このため、ユーザーは、キャリブレーションによって画質が改善されたかどうかを把握することが難しかった。
【００１０】
本発明は、キャリブレーションによって画質が改善されていく過程を確認できるキャリブレーション装置を提供することを目的とする。
【課題を解決するための手段】
【００１１】
本発明の第１の態様は、
複数項目の画質調整を有する表示装置のキャリブレーション装置であって、
前記複数項目の画質調整の処理でそれぞれ用いられる複数のパラメータの設定値を記憶する記憶手段と、
前記表示装置に測色用画像を表示し該測色用画像の測色結果を用いていずれかのパラメータの値を求める処理、を複数回実行することにより、前記複数のパラメータの設定値を段階的に更新するキャリブレーションを実行するキャリブレーション手段と、
キャリブレーションの効果を確認するための確認用画像を前記表示装置に表示する確認表示手段と、を有し、
前記確認表示手段は、キャリブレーション途中の画質設定で、前記確認用画像の表示を行う
ことを特徴とするキャリブレーション装置である。
【００１２】
本発明の第２の態様は、
複数項目の画質調整を有する表示装置のキャリブレーション方法であって、
前記複数項目の画質調整の処理でそれぞれ用いられる複数のパラメータの設定値を記憶し、
前記表示装置に測色用画像を表示し該測色用画像の測色結果を用いていずれかのパラメータの値を求める処理、を複数回実行することにより、前記複数のパラメータの設定値を段階的に更新するキャリブレーションを実行し、
キャリブレーションの効果を確認するための確認用画像を、キャリブレーション途中の画質設定で、前記表示装置に表示する、
ことを特徴とするキャリブレーション方法である。
【発明の効果】
【００１３】
本発明によれば、キャリブレーションによって画質が改善されていく過程を確認できるキャリブレーション装置を提供することができる。
【図面の簡単な説明】
【００１４】
【図１】キャリブレーション制御システムにおける全体構成の例（１）
【図２】キャリブレーション制御システムにおける全体構成の例（２）
【図３】キャリブレーション制御システムの構成例
【図４】実施形態１のＰＣのキャリブレーション制御フローの例
【図５】実施形態１のモニタのキャリブレーションのフローの例（１／２）
【図６】実施形態１のモニタのキャリブレーションのフローの例（２／２）
【図７】キャリブレーションフロー及び画質調整パラメータの状態
【図８】実施形態２のモニタのキャリブレーションのフローの例（１／３）
【図９】実施形態２のモニタのキャリブレーションのフローの例（２／３）
【図１０】実施形態２のモニタのキャリブレーションのフローの例（３／３）
【発明を実施するための形態】
【００１５】
以下に図面及びフローチャートを参照して、本発明を実施するための形態を説明する。但し、本発明は、以下の実施形態に限定されるものではない。
【００１６】
〔実施形態１〕
（構成例）
図１は、本実施形態のキャリブレーション制御システムにおける全体構成の例（１）を示す図である。キャリブレーション制御システム１０は、モニタのキャリブレーションを行う。図１の例では、本実施形態の全体構成であるキャリブレーション制御システム１０は、モニタ１００、ＰＣ（Personal Computer）２００を含む。また、ＰＣ２００には、
測色センサ３００が接続される。
【００１７】
図２は、本実施形態のモニタのキャリブレーションにおける全体構成の例（２）を示す図である。図２の例では、本実施形態の全体構成であるキャリブレーション制御システム１０は、モニタ１００、ＰＣ２００、を含む。また、モニタ１００には、測色センサ３００が接続される。
【００１８】
ＰＣ２００とモニタ１００とは、画像信号線４００及び通信線５００で接続される。画像信号線４００と通信線５００とは、一体化されてもよい。
ＰＣ２００は、画像信号をモニタ１００に出力し、キャリブレーション演算処理を行うアプリケーションを動作させる。モニタ１００は、表示画質の調整対象のモニタである。測色センサ３００は、モニタ１００に表示される画像（測色用画像）の表示色を測定する。画像信号線４００は、ＰＣ２００からモニタ１００に送信される画像信号を伝送する。通信線５００は、ＰＣ２００とモニタ１００との間で通信されるデータを伝送する。
【００１９】
図３は、キャリブレーション制御システムの構成例を示す図である。キャリブレーション制御システム１０のモニタ１００とＰＣ２００とは、協働してモニタ１００のキャリブレーションを実現する。キャリブレーション制御システム１０のモニタ１００とＰＣ２００とは、一体化してキャリブレーション装置として動作してもよい。また、モニタ１００の一部とＰＣ２００の一部とが一体化してキャリブレーション装置として動作してもよい。ここでは、測色センサ３００は、ＰＣ２００に接続されるとする。モニタ１００とＰＣ２００とは、画像信号線４００及び通信線５００で接続される。モニタ１００とＰＣ２００との接続は、有線接続であっても、無線接続であってもよい。モニタ１００は、本体ボタン１８０を備える。モニタ１００は、ユーザーによる本体ボタン操作によって、操作される。また、モニタ１００は、不図示のリモートコントローラ（リモコン）と接続され、ユーザーによるリモコン操作によって、操作されてもよい。
【００２０】
モニタ１００は、画像信号入力部１０１、表示制御部１０２、表示部１０３、バックライト制御部１０４、バックライト１０５、記憶部１０６、システム制御部１０７、通信制御部１０８、インタフェース部１０９を含む。さらに、モニタ１００は、キャリブレーション制御部１１０、第１画像処理部１１１、第２画像処理部１１２を含む。また、モニタ
１００は、バス１２０を含む。
モニタ１００は、ＰＣ２００から入力される画像信号による画像を、表示部１０３の画面に表示する。
【００２１】
ＰＣ２００は、キャリブレーションアプリ２１０、ＣＰＵ２２０、記憶部２３０、画像信号出力部２４０、通信制御部２５０を含む。
ＰＣ２００は、キャリブレーションアプリ２１０を動作させる。キャリブレーションアプリ２１０は、アプリＵＩ（User Interface）部２１１、キャリブレーション演算部２１２及び測色器制御部２１３を含む。アプリＵＩ部２１１は、キャリブレーションアプリ２１０のＧＵＩ（Graphical User Interface）を制御する。キャリブレーション演算部２１２は、キャリブレーションのための演算処理を行う。測色器制御部２１３は、測色センサ３００を制御する。
キャリブレーションアプリ２１０を実現するプログラムは、コンピュータ読み取り可能な可搬媒体またはインターネットなどによりＰＣ２００に供給され、ＰＣ２００にインストールされる。あるいは、ＰＣ２００がキャリブレーションアプリ２１０を実現するプログラムが記憶された記憶装置を備えてもよい。
【００２２】
アプリＵＩ部２１１によるＧＵＩ画像の画像信号は、画像信号出力部２４０により出力する。また、アプリＵＩ部２１１は、ユーザーからキャリブレーションに使用する調整項目の目標値等のデータの入力を受け付け、記憶部２３０に保存、記憶する。アプリＵＩ部２１１は、キャリブレーションアプリ２１０で使用するデータを、記憶部２３０から取得する。
調整項目の目標値は、モニタ１００の表示特性の調整項目の目標値である。目標値（キャリブレーション目標値）が入力される調整項目は、例えば、白色輝度、黒色輝度、白色色度、色域、コントラスト比、γ値などである。これらの調整項目は、例示であり、これらすべての調整項目を含んでなくてもよいし、これら以外の調整項目が含まれてもよい。
【００２３】
キャリブレーション演算部２１２は、アプリＵＩ部２１１によって入力されたキャリブレーション目標値と、測色器制御部２１３によって測色された測色値（測色結果）を用いてキャリブレーション演算を実行する。キャリブレーション演算により、パラメータ（画質調整パラメータ）や各種ＬＵＴ（Look Up Table）等が算出される。パラメータや各種
ＬＵＴ等は、入力画像信号に応じてバックライト及び表示パネルの駆動信号を決定するための対応関係である。パラメータや各種ＬＵＴ等は、記憶部２３０に格納される。キャリブレーション演算部２１２は、通信制御部２４０、通信線５００を介してキャリブレーション演算の結果である各種ＬＵＴ等をモニタ１００に送信する。
【００２４】
測色器制御部２１３は、ＰＣ２００に接続している測色センサ３００に対して通信制御部２５０を介して測色に関する一連の制御を行い、測色値の取得を行う。測色値には、例えば、輝度や色度の情報が含まれる。測色器制御部２１３は取得した測色値を記憶部２３０に記憶する。
【００２５】
また、キャリブレーションアプリ２１０は、キャリブレーションに必要となるモニタ１００のキャリブレーション制御部１１０などで処理されたデータを通信線５００及び通信制御部１０８を介して受信する。キャリブレーションアプリ２１０は、表示するＧＵＩ画像などの画像信号を、画像信号出力部２４０を介してモニタ１００の画像信号入力部１０１に出力する。
ＣＰＵ２２０は、ＰＣ２００の動作を制御する。ＣＰＵ２２０は、キャリブレーションアプリ２１０を実現するプログラムをメモリに展開して実行する。これにより、キャリブレーションアプリ２１０が動作する。
記憶部２３０は、ＰＣ２００で実行されるプログラムや、プログラムで使用されるデー
タ等を格納する。また、記憶部２３０は、測色センサ３００で測定された測色値を格納する。
【００２６】
ＰＣ２００は、上述したキャリブレーションアプリ２１０以外にもユーザーが画像を表示、編集するための不図示のアプリケーションを起動する。ＰＣ２００は、キャリブレーションアプリ２１０の画像と同様に、起動中のアプリケーションの画像（ＰＣ画像）の画像信号を、画像信号出力部２４０を介してモニタ１００の画像信号入力部１０１に出力する。
【００２７】
表示制御部１０２は、画像信号入力部１０１に入力された画像信号を、第１画像処理部１１１または第２画像処理部１１２で画像処理して、表示データを生成し、表示部１０３に出力する。また、表示制御部１０２は、不図示のＧＵＩ生成部が生成したＧＵＩ画像データがある場合、上記の表示データとＧＵＩ画像データとを合成した表示データを生成し、表示部１０３に出力する。
【００２８】
表示部１０３は、液晶パネルによって構成され、表示制御部１０２から出力された表示データに基づく画像を表示する。
【００２９】
バックライト制御部１０４は、第１画像処理部１１１、第２画像処理部１１２で設定した輝度値（バックライト輝度）に基づいて、バックライト１０５の発光輝度の制御を行う。バックライト制御部１０４は、例えば、バックライト１０５の各ＬＥＤの駆動電流値等を決定し、バックライト１０５を駆動する。
【００３０】
バックライト１０５は、表示部１０３の液晶パネルを照射するモジュールである。バックライト１０５は、複数のＬＥＤを含み、各ＬＥＤはバックライト制御１０４の制御により、決定された駆動電流値等に応じた輝度で発光する。各ＬＥＤは、それぞれ、液晶パネルの所定の領域を照射する。ＬＥＤは、白色ＬＥＤまたはＲＧＢ−ＬＥＤである。ＲＧＢ−ＬＥＤは、赤（Red）、緑（Green）、青（Blue）の３色のＬＥＤを含み、各ＬＥＤから発せられる３色の光は、混合されて白色となる。
モニタ１００は、ローカルディミング機能を備える。バックライト制御部１０４は、ローカルディミング機能により、バックライト１０５のＬＥＤ毎に、発光輝度を切り替える制御をすることができる。
記憶部１０６は、モニタ１００で使用されるデータ等を格納する。
システム制御部１０７は、モニタ１００で実現する機能において統括的に制御を行う。
【００３１】
通信制御部１０８は、通信線５００を介してＰＣ２００と接続され、ＰＣ１００との間で、データの送受信を行う。
インタフェース部１０９は、リモコンや本体ボタン１８０等のユーザーインタフェースにより、ユーザーからの操作を受け付ける制御信号を受信する。インタフェース部１０９は、受信した制御信号に応じてＧＵＩ生成部に対してＧＵＩの生成や操作の要求を行う。
【００３２】
ＧＵＩ生成部は、インタフェース部１０９で受信した制御信号に基づいて、ＧＵＩ画像データを生成する。ここで、ＧＵＩ画像データに必要な素材データ等は、モニタ１００内にある記憶部１０６から取得され、データの更新時には同様に記憶部１０６に保存、記憶する。
【００３３】
キャリブレーション制御部１１０は、キャリブレーションアプリ２１０におけるキャリブレーション演算部２１２にて演算されたモニタをキャリブレーションするための各種画質調整値を受け、モニタ１００の画質を調整するための制御を行う。また、キャリブレーション制御部１１０は、キャリブレーションアプリ２１０から受信したパッチ表示要求に
基づきＧＵＩ生成部を介して測色のための測色用画像（カラーパッチ）を表示する処理を行う。キャリブレーション制御の詳細については、後述する。
第１画像処理部１１１は、画質調整パラメータ、表示制御部１０２から入力される画像信号等に基づいて、表示部１０３の第１領域に表示する画像の画質調整処理を行う。第１画像処理部１１１は、画像処理したデータを表示制御部１０２に出力する。また、第１画像処理部１１１は、バックライト制御部１０５に対し、画質調整パラメータに基づいて、バックライト輝度値を通知する。
第２画像処理部１１２は、第１画像処理部１１１と同様に、表示部１０３の第２領域に表示する画像の画質調整処理を行う。
本実施形態のモニタ１００は、第１画像処理部１１１と第２画像処理部１１２の複数の画像処理系を有しているので、表示部１０３（画面）内の領域ごとに独立した画質調整を行うことができる。
【００３４】
測色センサ３００は、モニタ１００の表示部１０３の所定の領域に表示される画像の輝度及び色度などを測定するセンサである。当該所定の領域は、キャリブレーション処理のための測色用画像が表示される領域である。測色センサ３００は、測色用画像を測色できるように設置される。
【００３５】
（動作例）
最初に、ＰＣ２００のキャリブレーション制御の動作について説明する。
図４は、実施形態１に係るＰＣ２００のキャリブレーション制御フローの例を示す図である。
【００３６】
ステップＳ１０１では、ＰＣ２００のキャリブレーションアプリ２１０は、ＰＣ２００のマウス若しくはキーボード等を介してユーザーからキャリブレーション目標値の入力を受け付ける。目標値の入力の際、例えば、ユーザーが複数の目標値から１つの目標値を選択することによって、目標値が入力される。また、キャリブレーションアプリ２１０は、測色センサ３００の初期化を行う。このとき、ユーザーは、測色センサ３００をモニタ１００に設置する。キャリブレーションアプリ２１０は、ユーザーに、測色センサ３００をモニタ１００に設置することをメッセージを表示することなどにより促してもよい。さらに、キャリブレーションアプリ２１０は、測色センサ３００のモニタ１００への設置が完了したことを、ユーザーに通知させるようにしてもよい。
ステップＳ１０２では、キャリブレーションアプリ２１０は、ユーザーからのキャリブレーション開始要求を受け付ける。
【００３７】
ステップＳ１０３では、キャリブレーションアプリ２１０は、通信制御部２５０、通信線５００を介してキャリブレーション開始通知をモニタ１００に送信する。ここで、モニタ１００のステータス（状態）によっては、モニタ１００からキャリブレーション実行が不可能である旨の通知を受ける場合がある。この場合、キャリブレーションアプリ２１０は、ユーザーに対しキャリブレーションが実行できない旨を通知し、キャリブレーションを終了させる。
【００３８】
一方、モニタ１００がキャリブレーション実行を可能である場合、モニタ１００は、ＰＣ２００にキャリブレーション移行完了通知を送信する。ＰＣ２００が、モニタ１００からキャリブレーション移行完了通知を受信した場合、キャリブレーションアプリ２１０は、キャリブレーション演算部２１２が有するロジックに従って、キャリブレーションを行う。
【００３９】
ステップＳ１０４以降では、キャリブレーションとして、バックライト１０５の輝度調整、色域調整、色温度調整、γ値調整（ガンマ値調整）などの複数の調整工程が、順次、
実行される。
ステップＳ１０４では、キャリブレーションアプリ２１０は、キャリブレーション（の調整工程）に必要な測色を行うために、モニタ１００に対して測色用画像（パッチ画像）の表示要求の送信を行う。当該表示要求のデータには、例えば、測色用画像として表示させる色としてＲＧＢ値の指定が含まれる。測色用画像は、調整工程ごとに設定されている。
ステップＳ１０５では、キャリブレーションアプリ２１０は、モニタ１００から測色用画像の表示完了通知を受信した後、測色器制御部２１３により測色センサ３００を制御し、モニタ１００に表示された測色用画像を測色する。１つの調整工程において、測色用画像の表示、測色が複数回実行されてもよい。
【００４０】
ステップＳ１０６では、測色器制御部２１３によって測色が行われたのち、キャリブレーション演算部２１２は、ステップＳ１０１でのユーザー入力によって入力されたキャリブレーション目標値に合うようにキャリブレーション演算処理を行う。キャリブレーション演算処理では、画質調整パラメータの設定値が算出される。
ステップＳ１０７では、キャリブレーションアプリ２１０は、キャリブレーション演算処理が行われた後、演算結果（キャリブレーション演算データ）をモニタ１００に送信する。キャリブレーション演算データには、バックライト輝度、色温度、色域、γ値などの複数項目の画質調整パラメータの設定値が含まれる。
【００４１】
ステップＳ１０８では、キャリブレーションアプリ２１０は、すべてのキャリブレーション工程（調整工程）が終了したかを判断する。すべてのキャリブレーション工程が終了した場合（Ｓ１０８；ＹＥＳ）、処理がステップＳ１０９に進む。
ステップＳ１０９では、キャリブレーションアプリ２１０は、キャリブレーション終了通知をモニタ１００に送信する。
すべてのキャリブレーション工程が終了していない場合（Ｓ１０８；ＮＯ）、処理がステップＳ１０４に戻り、次の調整工程の測色用画像表示要求送信から処理を行う。
【００４２】
以上のフローに基づいて、ＰＣ２００によるモニタ１００のキャリブレーション制御が行われる。
【００４３】
次に、モニタ１００のキャリブレーションの動作について説明する。
図５及び図６は、実施形態１に係るモニタ１００のキャリブレーションのフローの例を示す図である。図５の「Ａ」は、図６の「Ａ」と接続する。
【００４４】
モニタ１００のキャリブレーション制御部１１０が、通信制御部１０８を介してＰＣ２００からキャリブレーション開始通知を受信することにより、図５及び図６のフローが開始する。
ステップＳ２０１では、キャリブレーション制御部１１０は、モニタ１００のステータスとして、キャリブレーション可能な状態か否かを判断する。
モニタ１００がキャリブレーションを実行できない状態（例えば、モニタ１００の内部にエラーが発生しているなど）である場合（Ｓ２０１；ＮＯ）、処理がステップＳ２０２に進む。一方、モニタ１００がキャリブレーションを実行できる状態である場合（Ｓ２０１；ＹＥＳ）、処理がステップＳ２０３に進む。
ステップＳ２０２では、キャリブレーション制御部１１０は、キャリブレーション実行不可の通知を、通信制御部２２０を介してＰＣ２００に送信し、処理が終了する。
【００４５】
ステップＳ２０３では、キャリブレーション制御部１１０は、モニタ１００の内部ステータスをキャリブレーションモードに移行する。
ステップＳ２０４では、キャリブレーション制御部１１０は、通信制御部２２０を介し
てＰＣ２００にキャリブレーションモード移行完了通知を送信する。
【００４６】
ステップＳ２０５では、キャリブレーションモードに移行後、キャリブレーション制御部１１０は、表示制御部１０２を介して表示部１０３の画面の表示領域を、第１領域及び第２領域の２つの部分領域に分割する。第１領域は、キャリブレーションのための測色用画像（カラーパッチ）を表示する表示領域である。第２領域は、キャリブレーションの効果を確認するための確認用画像を表示（確認表示）する表示領域である。本実施形態では、ＰＣ２００から出力され、画像信号入力部１０１から入力されるＰＣ画像が第２領域に表示される。ＰＣ画像は、キャリブレーションアプリ２１０以外のＰＣ１００で起動中のアプリケーション等の画像である。ＰＣ画像ではなく、モニタ１００内に記憶された画像が、確認用画像として使用されてもよい。
第１画像処理部１１１が、測色用画像を表示する第１領域の画質調整を担い、第２画像処理部１１２が、確認用画像を表示する第２領域の画質調整を担う。第１画像処理部１１１は、画像処理として、第１領域に表示される画像の画質調整処理を行う。第２画像処理部１１２は、画像処理として、第２領域に表示される画像の画質調整処理を行う。画質調整処理では、各画質調整パラメータの設定値を使用して、表示される画像の補正が行われる。画質調整パラメータは、バックライト輝度、色温度、色域、γ値である。画質調整パラメータは、これらに限定されるものではなく、他のパラメータが採用されてもよい。画質調整処理では、画質調整パラメータ毎に画質調整処理をＯＮ／ＯＦＦすることができる。画質調整処理がＯＦＦの状態とは、画質調整処理を行わない状態、もしくは、例えば、画質調整パラメータの設定値がモニタ１００の初期値である状態である。画質調整処理のＯＮ／ＯＦＦ制御に関する詳細は、後述する。
【００４７】
ステップＳ２０６では、キャリブレーション制御部１１０は、第１画像処理部１１１のすべての画質調整処理をキャリブレーションのためにＯＦＦにする。即ち、モニタ１００の第１領域は、キャリブレーションのために一度すべての補正処理をなくした表示となる。一方、第２画像処理部１１２は、この時点では、すべての画質調整処理がＯＮとなった状態のままとする。即ち、第２領域では、キャリブレーション開始前と同じ画質設定（画質調整）の状態で、ＰＣ２００からの画像が表示されることになる。そのため、第２領域では、ユーザーに対し、画質調整処理がＯＦＦの状態における画像を見せることを避けることができる。
【００４８】
ステップＳ２０７では、キャリブレーション制御部１１０は、ＰＣ２００から信号線５００を介して受信するデータにより処理を分岐させる。ＰＣ２００から受信したデータが測色用画像の表示要求である場合、処理がステップＳ２０８に進む。ＰＣ２００から受信したデータが演算結果であるキャリブレーション演算データである場合、処理がステップＳ２１０に進む。ＰＣ２００から受信したデータがキャリブレーション終了通知であった場合、処理がステップＳ２１３に進む。
【００４９】
ステップＳ２０８では、キャリブレーション制御部１１０は、表示制御部１０２を介して、測色用画像の表示要求で指定されたＲＧＢ値の測色用画像（カラーパッチ）を第１領域に表示する。
ステップＳ２０９では、測色用画像の表示が完了すると、キャリブレーション制御部１１０は、測色用画像表示完了通知を通信制御部２２０を介してＰＣ２００に送信する。さらに、キャリブレーション制御部１１０は、ステップＳ２０７に戻り、再度ＰＣ２００からのデータ受信待ちに入る。
【００５０】
また、ステップＳ２１０では、キャリブレーション制御部１１０は、第１画像処理部１１１が処理する第１領域に対して、受信したキャリブレーション演算データに含まれる画質調整パラメータを設定する。これにより、第１領域のキャリブレーション前の画質調整
パラメータ（例えば色温度）の設定値がＰＣ２００より受信したキャリブレーション演算データの（即ち、キャリブレーション後の）画質調整パラメータ（例えば色温度）の設定値に切り替わることになる。
ステップＳ２１１では、キャリブレーション制御部１１０は、受信したキャリブレーション演算データの画質調整パラメータの種類によって処理を分岐させる。ＰＣ２００より受信したキャリブレーション演算データが、色温度、２回目のバックライト輝度若しくはγ値以外である場合（Ｓ２１１；ＮＯ）、ステップＳ２０７に戻り、再度ＰＣ２００からのデータ受信待ちに入る。一方、キャリブレーション演算データが、色温度、２回目のバックライト輝度若しくはγ値である場合（Ｓ２１１；ＹＥＳ）、これまでに受信したすべての画質調整パラメータの設定値を、第２画像処理部１１２が処理する第２領域に対しても適用する。第２画像処理部１１２が処理する第２領域に各種画質調整パラメータの設定値を適用後、処理がステップＳ２０７に戻り、再度ＰＣ２００からのデータ受信待ちに入る。
【００５１】
一連のキャリブレーション（すべての調整工程）が終了すると、ＰＣ２００はモニタ１００に対してキャリブレーションの終了を通知する。モニタ１００は、通信線５００、通信制御部１０８を介して、ＰＣ２００から、キャリブレーション終了通知を受信する。
ステップＳ２１３では、ステップＳ２０５で２つの部分領域に分割した表示領域を１つの領域に統合する。なお、統合後の画像処理は、一括して、第１画像処理部１１１または第２画像処理部１１２が担う。
【００５２】
ステップＳ２１４では、キャリブレーション制御部１１０は、表示領域を統合した後、ステップＳ２０３でキャリブレーションモードに移行させたモニタ１００内部のステータスを元の通常モードに戻す。
【００５３】
ステップＳ２１５では、内部ステータスの変更が終了した後、キャリブレーション制御部１１０は、ＰＣ２００に対しキャリブレーションモードの終了を通信制御部２２０を介して通知する。
以上の、ＰＣ２００及びモニタ１００の制御フローによって、キャリブレーションが完了する。
【００５４】
続いて、図７を用いて、キャリブレーション演算部２０３により行われるキャリブレーション工程、モニタ１００の第１画像処理部１１１及び第２画像処理部１１２の各画質調整処理のＯＮ／ＯＦＦ制御の内容を説明する。
【００５５】
図７（ａ）は、ＰＣ２００のキャリブレーションアプリ２１０が制御するキャリブレーションフローの例を示した図である。図７（ａ）の例では、キャリブレーションが開始されると、１回目のバックライト輝度調整、色温度調整、色域調整、２回目のバックライト輝度調整、γ値調整の調整工程の順に処理し、キャリブレーションが終了する。キャリブレーションアプリ２１０は、その調整内容と併せ、調整の為に必要な測色用画像の情報をモニタ１００に通知し、測色センサ３００を用い測色用画像（カラーパッチ）を測色した結果を使って、各種画質調整パラメータの設定値を算出する。また、キャリブレーションアプリ２１０は、算出した画質調整パラメータの設定値をモニタ１００に通知することを上述したフローの順に順次実行する。
【００５６】
図７（ｂ）は、モニタ１００の第１画像処理部１１１及び第２画像処理部１１２が保持する各種画質調整パラメータの状態を示した図であり、図７（ａ）のキャリブレーションフローに対応した記載となっている。第１画像処理部１１１及び第２画像処理部１１２が有する画質調整パラメータは、キャリブレーションフローに対応して、バックライト輝度、色温度、色域、γ値の４つである。
【００５７】
図７（ｂ）の例では、キャリブレーション開始後、１回目のバックライト輝度調整後、色温度調整後、色域調整後、２回目のバックライト輝度調整後、γ値調整後における第１画像処理部１１１及び第２画像処理部１１２の画質調整パラメータの状態を示す。例えば、キャリブレーション開始後では、第１画像処理部１１１のバックライト輝度、色温度、色域、γ値の画質調整処理がＯＦＦ状態である。また、キャリブレーション開始後では、第２画像処理部１１２のバックライト輝度、色温度、色域、γ値の画質調整処理がＯＮ状態であり、第２画像処理部１１２においてキャリブレーション前の画質調整パラメータの設定値が適用されている。
【００５８】
キャリブレーション開始前（キャリブレーション開始時）は、表示領域が２つの部分領域に分割されておらず、キャリブレーション前の画質調整パラメータ（図７（ｂ）の「（ＯＮ）」）の設定値により画像が調整されている。
キャリブレーション制御部１１０は、モニタ１０１からキャリブレーション開始の通知を受け、内部ステータスをキャリブレーションモードにし、表示領域を第１領域及び第２領域の２つの部分領域にする。また、キャリブレーション制御部１１０は、第１領域を担う第１画像処理部１１１のすべての画質調整処理をＯＦＦにする。画質調整処理がＯＦＦの状態は、例えば、画質調整パラメータの設定値がモニタ１００の初期値である状態である。一方、第２領域を担う第２画像処理部１１２の画質調整パラメータの設定値は、キャリブレーション前の画質調整パラメータの設定値のままである。
このような制御を行うことで、表示部１０３の第１領域ではキャリブレーションの測色のためにすべての画質調整処理がＯＦＦにされる。また、第２領域では、ユーザーには、補正処理がなされていない画像を見せることなく、今まで（キャリブレーション開始前）の表示状態を保ったままの表示を提示することになる。
【００５９】
キャリブレーションアプリ２１０の処理により１回目のバックライト輝度が算出されると、これを受信したモニタ１００のキャリブレーション制御部１１０は、１回目のバックライト輝度を第１画像処理部１１１のバックライト輝度に適用する。即ち、第１領域のバックライト輝度では、キャリブレーション後の画質調整パラメータ（図７（ｂ）の「ＯＮ」）の設定値が適用される。また、第１領域において、バックライト輝度以外の画像調整処理は、ＯＦＦにされている。このとき、第２領域では、すべての画質調整パラメータの設定値において、キャリブレーション前の画質調整パラメータの設定値が適用されている。
引き続き、キャリブレーションアプリ２０１の処理により色温度が算出されると、これを受信したモニタ１００のキャリブレーション制御部１１０は、算出された色温度を第１画像処理部１１１の色温度に適用する。受信したキャリブレーション結果が色温度であるので、キャリブレーション制御部１１０は、これまでのキャリブレーション結果を第２領域にも反映させる。このために、キャリブレーション制御部１１０は、これまでに第１画像処理部１１１のバックライト輝度及び色温度に適用したデータを、それぞれ、第２画像処理部１１２のバックライト輝度及び色温度としてコピーして適用する。このとき、第２領域では、バックライト輝度及び色温度において、それぞれ、キャリブレーション後のバックライト輝度及び色温度が適用され、色域及びγ値において、それぞれ、キャリブレーション前の色域及びγ値が適用されている。このようにすることで、ユーザーは、第２領域において、キャリブレーションの途中段階で、画像の見え方がどのように変化するかを確認することができる。
【００６０】
次に、キャリブレーションアプリ２０１の処理により色域が算出されると、これを受信したモニタ１００のキャリブレーション制御部１１０は、算出された色域を第１画像処理部１１１の色域に適用する。受信したキャリブレーション結果が色域であるので、キャリブレーション制御部１１０は、キャリブレーション結果を第２領域に反映させずに、次の
キャリブレーション結果の受信を待機する。このとき、第２領域では、依然として、バックライト輝度及び色温度において、それぞれ、キャリブレーション後のバックライト輝度及び色温度が適用され、色域及びγ値において、それぞれ、キャリブレーション前の色域及びγ値が適用されている。
次に、キャリブレーションアプリ２１０の処理により２回目のバックライト輝度が算出されると、これを受信したモニタ１００のキャリブレーション制御部１１０は、２回目のバックライト輝度を第１画像処理部１１１のバックライト輝度に適用する。受信したキャリブレーション結果が２回目のバックライト輝度であるので、キャリブレーション制御部１１０は、これまでのキャリブレーション結果を第２領域にも反映させる。即ち、キャリブレーション制御部１１０は、第１画像処理部１１１のバックライト輝度及び色域に適用したデータを、それぞれ、第２画像処理部１１２のバックライト輝度及び色域としてコピーして適用する。このとき、第２領域では、バックライト輝度、色温度、色域において、それぞれ、キャリブレーション後のバックライト輝度、色温度、色域が適用され、γ値において、キャリブレーション前のγ値が適用されている。
【００６１】
さらに、キャリブレーションアプリ２１０の処理によりγ値が算出されると、γ値を受信したモニタ１００のキャリブレーション制御部１１０は、算出されたγ値を第１画像処理部１１１のγ値に適用する。受信したキャリブレーション結果がγ値であるので、キャリブレーション制御部１１０は、これまでのキャリブレーション結果を第２領域にも反映させる。このために、キャリブレーション制御部１１０は、第１画像処理部１１１のγ値に適用したデータを、第２画像処理部１１２のγ値としてコピーして適用する。このとき、第２領域では、すべての画質調整パラメータの設定値において、キャリブレーション後の画像調整パラメータの設定値が適用されている。これによりユーザーは、第２領域において、キャリブレーションの最終結果を確認することができる。
【００６２】
本実施形態によると、表示部１０３の表示領域を測色用の第１領域とＰＣ画像等を表示する第２領域とに分け、キャリブレーションの結果である画質調整パラメータの設定値を段階的に第２領域に適用していく。本実施形態によると、表示部１０３の第１領域と第２領域とは独立して画質調整がされる。本実施形態によると、第２領域では、画質調整処理がＯＦＦ状態になることはない。これにより、ユーザーは、第２領域で、キャリブレーション工程中に所望の画像がキャリブレーションにより変化していく様子を現認することができ、キャリブレーションをしたことによる納得感を得ることができる。
【００６３】
なお、本実施形態においては、ＰＣ２００からの指示によりモニタ１００が測色用画像を表示するような制御としたが、ＰＣ２００が測色用画像及びユーザー指定の画像を表示し、夫々の表示位置をモニタ１００に通知するような制御とすることも可能である。
【００６４】
また、本実施形態においては、色温度調整、２回目のバックライト輝度調整及びγ値調整のいずれかが終わった段階で、算出された画質調整パラメータを第２領域に反映させるような制御とした。しかし、これに限ることはなく、別のタイミングで第２領域に反映させることも、すべての画質調整パラメータの設定値を受信する毎に第２領域に反映させることも可能である。
【００６５】
また、本実施形態においては、キャリブレーション演算及び測色センサ制御をＰＣ２００にて実現するような構成としたが、モニタ１００でこれらの制御を行うような構成にすることも可能である。
【００６６】
本実施形態によれば、ユーザーは、キャリブレーションにより、第２領域に表示した所望の画像の画質が時々刻々と改善されていく様子がわかり、キャリブレーションによる効果を現認することができる。このため、ユーザーは、従来得られなかった、キャリブレー
ションを行ったことによる納得感を得ることができ、ユーザーの利便性向上につながる。
【００６７】
〔実施形態２〕
実施形態２では、ユーザーの望む画像を確認できるタイミングに実施形態１と異なる特徴を有する。実施形態２では、ユーザーが望む確認用画像を、キャリブレーションの進行に同期して、同期表示するか否かをユーザーが選択可能とする。以下、主に実施形態１と異なる部分について説明し、実施形態１と同様の構成については、説明を省略する。
【００６８】
図８、図９及び図１０は、本実施形態におけるキャリブレーション制御部１１０が制御するモニタ１００のキャリブレーションフローを説明するためのフローチャートである。図８の「Ｂ」は、図９の「Ｂ」と接続する。図９の「Ｃ」、「Ｄ」は、それぞれ、図１０の「Ｃ」、「Ｆ」と接続する。
【００６９】
モニタ１００のキャリブレーション制御部１１０が、通信制御部１０８を介してＰＣ２００からキャリブレーション開始通知を受信することにより、図８、図９及び図１０のフローが開始する。
【００７０】
モニタ１００は、キャリブレーション開始通知とともに、キャリブレーション中（キャリブレーション途中）にキャリブレーションの効果を確認するための画像をキャリブレーション工程の進行に同期して表示するか否かの情報を受信する。ユーザーは、例えば、キャリブレーション工程中に所望の画像を表示しながらその変化の様子を確認したい場合、ＰＣ２００のキャリブレーションアプリ２０１にてキャリブレーションを開始する際、キャリブレーション工程中表示ＯＮの指定を行う。一方、ユーザーは、キャリブレーション工程中であっても、別の作業を行いたい等の理由でキャリブレーション工程に合わせた画像の変化を確認することを望まない場合、キャリブレーション工程中表示ＯＦＦの指定を行う。
キャリブレーション工程中表示ＯＮ／ＯＦＦの情報を受信したキャリブレーション制御部１１０は、その情報を記憶部１０６にキャリブレーション中、一時的に保存する。
【００７１】
ステップＳ３０１では、キャリブレーション制御部１１０は、モニタ１００のステータスとして、キャリブレーション可能な状態か否かを判断する。これ以降、ステップＳ３０２からステップＳ３１１までの処理は、実施形態１のステップＳ２０１からステップＳ２１１までの処理と同様である。
ステップＳ３１１において、受信したキャリブレーション演算データが、色温度、２回目のバックライト輝度若しくはγ値である場合（Ｓ３１１；ＹＥＳ）、処理がステップＳ３１２に進む。
ステップＳ３１２では、キャリブレーション制御部１１０は、キャリブレーション開始通知とともに受信したキャリブレーション工程中表示ＯＮ／ＯＦＦの情報を記憶部１０６から読み出す。キャリブレーション制御部１１０は、読みだした情報がキャリブレーション工程中表示ＯＦＦであるか否かを判定する。読みだした情報が、キャリブレーション工程中表示ＯＮである場合（Ｓ３１２；ＮＯ）、処理がステップＳ３１３に進む。ステップＳ３１３の処理は、実施形態１のステップＳ２１２の処理と同様である。一方、読みだした情報が、キャリブレーション工程中表示ＯＦＦである場合（Ｓ３１２；ＹＥＳ）、処理がステップＳ３１４に進む。
【００７２】
ステップＳ３１４では、キャリブレーション制御部１１０はこれまでにＰＣ１００から受信した演算結果（キャリブレーション演算の結果）を記憶部１０６に保存する。このとき、キャリブレーション制御部１１０は、後に段階的にキャリブレーションによって画像の見え方が変わっていく様子が分かるように、ステップＳ３１４の処理を行うごとに、ＰＣ１００から受信したデータを記憶部１０６に保存する。例えば、キャリブレーション制
御部１１０は、１回目のバックライト輝度を含む色温度調整までのデータを中間データ１、色域を含む２度目のバックライト輝度調整までのデータを中間データ２、γ値調整までのデータを最終データとして保存する。その後Ｓ３０７に戻り、再度ＰＣ２００からのデータ受信待ちに入る。したがって、ここでは、第２領域を担う第２画像処理部１１２の画質調整パラメータは、変更されない。即ち、第２画像処理部１１２の画質調整パラメータは、キャリブレーション前の画質調整パラメータの設定値のままである。
ステップＳ３１５からステップＳ３１７までの処理は、実施形態１のステップＳ２１３からステップＳ２１５までの処理と同様である。
【００７３】
また、モニタ１００は、ユーザーがキャリブレーション工程中表示ＯＦＦを設定することで、キャリブレーション処理終了後、特定の画像を表示させながら、キャリブレーションによる効果をユーザーに確認させることができる。このとき、モニタ１００は、ユーザーの所望する画像を画像信号入力部１０１より受信し、表示部１０３に表示させる。さらに、モニタ１００のキャリブレーション制御部１１０は、記憶部１０６に保存してある中間データ１、中間データ２、最終データを画質調整パラメータに順番に適用して、当該画像を表示部１０３に表示する。これにより、モニタ１００は、ユーザーに、キャリブレーションによる効果を提示することができる。ユーザーは、キャリブレーション終了後に、キャリブレーションによる効果を確認することができる。
【００７４】
実施形態２によれば、モニタ１００は、第１領域でキャリブレーションための測色用画像を表示しつつ、第２領域ではキャリブレーション前の画像調整パラメータを適用して、画像を表示させることができる。即ち、キャリブレーション実行中に、第２領域の画質設定がキャリブレーション前の画質設定のまま維持される。よって、ユーザーはキャリブレーション工程中にキャリブレーション処理に左右されずに他の作業を進めることが可能になる。また、モニタ１００は、キャリブレーション中に、画質調整パラメータの設定値を、段階的に保存することで、キャリブレーション終了後に、ユーザーにキャリブレーションの効果を確認させることができる。
【００７５】
〔その他〕
以上の各実施形態は、可能な限りこれらを組み合わせて実施され得る。
記憶装置に記録されたプログラムを読み込み実行することで前述した実施形態の機能を実現するシステムや装置のコンピュータ（またはＣＰＵ、ＭＰＵ等のデバイス）によっても、本発明を実施することができる。また、例えば、記憶装置に記録されたプログラムを読み込み実行することで前述した実施形態の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。従って、上記コンピュータ（ＣＰＵ、ＭＰＵ等のデバイスを含む）、上記方法、上記プログラム（プログラムコード、プログラムプロダクトを含む）、上記プログラムを非一時的に保存するコンピュータ読取可能な記録媒体は、いずれも本発明の範疇に含まれる。
【符号の説明】
【００７６】
１００  モニタ
１０３  表示部
１０６  記憶部
１１０  キャリブレーション制御部
２００  ＰＣ
２１０  キャリブレーションアプリ
２３０  記憶部
【図１】
2015158636.tif 000003
【図２】
2015158636.tif 000004
【図３】
2015158636.tif 000005
【図４】
2015158636.tif 000006
【図５】
2015158636.tif 000007
【図６】
2015158636.tif 000008
【図７】
2015158636.tif 000009
【図８】
2015158636.tif 000010
【図９】
2015158636.tif 000011
【図１０】
2015158636.tif 000012